(57)【要約】  着用者（２０）の失読症の影響を低減するための眼科用装置（１０）であって、−  着用者（２０）によって着用されることを意図されたフレーム、−  着用者（２０）によって見られている媒体（１８）を明るくするために、着用者の頭部の前方で光を発するように構成された少なくとも１つの光源を含む、フレームに結合された点滅素子（１４）を含み、前記少なくとも１つの光源は、点滅素子（１４）がアクティブにされるとき、所定の周波数で連続的にスイッチを入れられ且つスイッチを切られるように構成されている、眼科用装置（１０）が提案される。
2022502695.tif 000002
【特許請求の範囲】
【請求項１】
着用者（２０）の失読症の影響を低減するための眼科用装置（１０）であって、
−  前記着用者（２０）によって着用されることを意図されたフレーム（１２）と、
−  前記着用者（２０）によって見られている媒体（１８）を明るくするために、前記着用者の頭部の前方で光を発するように構成された少なくとも１つの光源（１６）を含む、前記フレーム（１２）に結合された点滅素子（１４）と、
を含み、前記少なくとも１つの光源（１６）は、前記点滅素子（１４）がアクティブにされるとき、所定の周波数で連続的にスイッチを入れられ且つスイッチを切られるように構成されている、眼科用装置（１０）。
【請求項２】
前記点滅素子（１４）を選択的にアクティブにするように構成された選択的アクティブ化部材をさらに含む、請求項１に記載の眼科用装置（１０）。
【請求項３】
前記選択的アクティブ化部材は、
−  前記フレーム（１２）に配置され、且つ要求に応じて前記点滅素子（１４）をアクティブにするように構成されたスイッチ、及び
−  前記点滅素子（１４）を遠隔でアクティブにするように構成された制御端末、
のうちの少なくとも１つを含む、請求項２に記載の眼科用装置（１０）。
【請求項４】
前記着用者（２０）の読解状況を検知し、且つ読解状況が検知されると、前記点滅素子（１４）をアクティブにするように構成された感知部材を含む自動アクティブ化部材をさらに含む、請求項２又は３に記載の眼科用装置（１０）。
【請求項５】
前記感知部材は、前記着用者（２０）の読解設定を表す前記着用者（２０）の動き又は姿勢を検知する加速度計、視線追跡装置、ジャイロスコープ及びテレメータのうちの１つ以上を含む、請求項４に記載の眼科用装置（１０）。
【請求項６】
前記所定の周波数は、少なくとも５０Ｈｚ、好ましくは少なくとも７０Ｈｚである、請求項１〜５のいずれか一項に記載の眼科用装置（１０）。
【請求項７】
前記フレームは、眼鏡のフレーム（１２）を形成し、且つ２つの開口部（２２）であって、その中にレンズ（２４）をそれぞれ受けるように構成された２つの開口部（２２）を画定し、前記少なくとも１つの光源（１６）は、前記２つの開口部（２２）間の前記フレーム（１２）の上部及び／又は前記２つの開口部（２２）のうちの一方の周辺部に配置されている、請求項６に記載の眼科用装置（１０）。
【請求項８】
前記少なくとも１つの光源（１６）は、異なる発光スペクトルを選択的に提供するように構成されている、請求項６又は７に記載の眼科用装置（１０）。
【請求項９】
前記少なくとも１つの光源（１６）によって発された前記光の特定の色にそれぞれ対応する複数の位置を含む色選択スイッチをさらに含む、請求項８に記載の眼科用装置（１０）。
【請求項１０】
前記点滅素子（１４）は、
−  前記少なくとも１つの光源（１６）の前方に配置された収束レンズ、及び、
−  コリメート光を提供するための、前記少なくとも１つの光源（１６）の前方における集光グリッド、
のうちの１つにより、前記少なくとも１つの光源（１６）によって発された光を、前記着用者（２０）によって見られている媒体（１８）に向かって収束させるように構成されている、請求項１〜９のいずれか一項に記載の眼科用装置（１０）。
【請求項１１】
−  前記フレーム（１２）に結合され、且つ前記着用者（２０）の目の前方にそれぞれ配置されるように構成された２つのレンズ（２４）、
−  前記２つのレンズ（２４）の一方に適用され、且つ特定の光波長範囲を吸収するように構成されたカラーフィルタ（３０）
をさらに含む、請求項１〜１０のいずれか一項に記載の眼科用装置（１０）。
【請求項１２】
前記カラーフィルタ（３０）は、３９０ｎｍ〜７９０ｎｍ、好ましくは３９０ｎｍ〜４９０ｎｍの波長を有する光を吸収するように構成されている、請求項１１に記載の眼科用装置（１０）。
【請求項１３】
前記カラーフィルタ（３０）は、読解状況において前記着用者（２０）によって使用されるレンズ（２４）の所定の部分（３２）のみに適用されている、請求項１１又は１２に記載の眼科用装置（１０）。
【請求項１４】
前記カラーフィルタ（３０）は、選択的に作動されるように構成されている、請求項１１〜１３のいずれか一項に記載の眼科用装置（１０）。
【請求項１５】
着用者の失読症の影響を低減するための眼科用装置（１０）を製造する方法であって、
−  前記着用者（２０）によって着用されることを意図されたフレーム（２０）を提供するステップと、
−  前記着用者（２０）によって見られている媒体（１８）を明るくするために、前記着用者の頭部の前方で光を発するように構成された少なくとも１つの光源（１６）を含む点滅素子（１４）を提供するステップであって、前記少なくとも１つの光源（１６）は、前記点滅素子（１４）がアクティブにされるとき、所定の周波数で連続的にスイッチを入れられ且つスイッチを切られるように構成されている、ステップと、
−  前記フレーム（１２）に前記点滅素子（１４）を結合するステップと、
を備える方法。
【発明の詳細な説明】
【技術分野】
【０００１】
本発明は、失読症の影響を低減するための眼科用装置に関する。特に、本発明は、失読症の影響を低減するための点滅素子を備えた眼科用装置に関する。
【背景技術】
【０００２】
発達性失読症は、正常な知的能力があり、精神障害又は神経障害がなく、通常の刺激のある社会文化的環境にあり、適切な教育を受けているにも関わらず、書き言葉を習得するのに永続的な困難があることとして定義される。この障害は、読解に関与する認知体系の機能不全を反映するものである。失読症は、学童の８〜１０％に影響を及ぼし、正常な自発性があるにも関わらず、個人の人生を通して存続する。発達性失読症は、脳損傷に起因する後天性失読症と区別する必要がある。失読症を有する多くの人々は、同じような間違いをすることが多い。そのような人々は、形態学的に類似の文字（ｐ及びｑ、ｂ及びｄなど）を混同し、言葉について視覚的な間違いをする。そのような人々は、全体の言葉を把握することが困難であり、言葉を実際に読解するよりもむしろ推測することにより、解釈についての問題を克服することが多い。そのような人々は、書字音素規則（特に複雑な文字の組）についても困難があり、文字又はさらにシラブルを反転させることが多い。失読症は、口頭言語の障害（不全失語症）、書き言葉の障害（綴り字障害）、短期記憶障害、運動協調性障害などの他の障害又は視空間処理障害を伴っていることもある。算数障害又は注意欠陥多動性障害も含まれ得る。失読症は、このため、総合的な学習障害として考える必要がある。
【０００３】
多くの眼科用装置、特に眼鏡は、失読症の着用者の読解力を向上させる支援となるように開発されてきた。最も周知の技術は、着用者が着用する眼鏡に、色フィルタを有する眼科用レンズを設けることを含む。特に、特許文献１、特許文献２又は特許文献３は、失読症又は読書障害を処置する眼科用レンズの特定の領域に設けられた色フィルタを開示している。
【０００４】
しかし、近年、失読症の困難の原因は、対象者の各網膜内に１つずつある２つのマクスウェル中心間の非対称性の欠如から発生し得ることが認められている（非特許文献１）。マクスウェル中心は、中心窩又は青暗点とも呼ばれる。健康な対象者は、２つのマクスウェル中心に非対称性を有する。この非対称性により、健康な対象者が利き目を有し、読解する際に利き目が見ている像のみを対象者の脳が処理することが可能となる。このような失読症を有する対象者について認められてきた対称性は、対象者が利き目を発達させることを妨げ、これにより両目が同時に把握した像を脳が処理する方法に直接の影響をもたらす。このため、脳は、両目間でいずれの像を処理するべきかを選択できず、「ｂ」及び「ｄ」のような鏡像間で混同するという結果になる。
【０００５】
この科学刊行物では、対象者によって見られている文字の書かれた媒体に点滅光を当てると、対象者の読解力を向上させることも認められている。この点滅光は、固定され、重量のある、実験のために構成された研究室の電力制御装置によって提供される。研究室の電力制御装置は、固定されるように意図されている。実際、この研究室の電力制御装置は、嵩張るものであり、移動が困難であるため、常用及び実用を考慮することが難しい。
【先行技術文献】
【特許文献】
【０００６】
【特許文献１】米国特許出願公開第２０１０／０６０８５０号明細書
【特許文献２】米国特許第５，４４０，３５９号明細書
【特許文献３】英国特許出願公開第２２６６７８６号明細書
【非特許文献】
【０００７】
【非特許文献１】Ｌｅ  Ｆｌｏｃｈ  Ａ，Ｒｏｐａｒｓ  Ｇ．，２０１７．Ｌｅｆｔ−ｒｉｇｈｔ  ａｓｙｍｍｅｔｒｙ  ｏｆ  ｔｈｅ  Ｍａｘｗｅｌｌ  ｓｐｏｔ  ｃｅｎｔｒｏｉｄｓ  ｉｎ  ａｄｕｌｔｓ  ｗｉｔｈｏｕｔ  ａｎｄ  ｗｉｔｈ  ｄｙｓｌｅｘｉａ．Ｐｒｏｃ．Ｒ．Ｓｏｃ．Ｂ  ２８４：２０１７１３８０
【発明の概要】
【発明が解決しようとする課題】
【０００８】
このため、本発明が解決しようとする課題は、対象者の失読症の影響を低減することができる携帯型眼科用装置を提供することである。
【課題を解決するための手段】
【０００９】
この課題を解決するため、本発明は、着用者の失読症の影響を低減するための眼科用装置であって、
−  着用者によって着用されることを意図されたフレームと、
−  着用者によって見られている媒体を明るくするために、着用者の頭部の前方で光を発するように構成された少なくとも１つの光源を含む、フレームに結合された点滅素子と、
を含み、前記少なくとも１つの光源は、点滅素子がアクティブにされるとき、所定の周波数で連続的にスイッチを入れられ且つスイッチを切られるように構成されている、眼科用装置を提供する。
【００１０】
眼科用装置の着用可能な構成により、装置を容易に扱うことが可能となり、失読症の影響を低減することが常時可能である実用的な解決策を対象者にもたらすことが可能となる。持ち運びが容易で実用的である眼科用装置を提供することにより、定期的な使用がより容易になる。前記装置は、このため、自宅又は様々な状況において対象者自身によって使用され得る。
【００１１】
眼科用装置の一実施形態によれば、それは、点滅素子を選択的にアクティブにするように構成された選択的アクティブ化部材をさらに含む。
【００１２】
眼科用装置の一実施形態によれば、選択的アクティブ化部材は、
−  フレームに配置され、且つ要求に応じて点滅素子をアクティブにするように構成されたスイッチ、及び
−  点滅素子を遠隔でアクティブにするように構成された制御端末、
のうちの少なくとも１つを含む。
【００１３】
眼科用装置の一実施形態によれば、それは、着用者の読解状況を検知し、且つ読解状況が検知されると、点滅素子をアクティブにするように構成された感知部材を含む自動アクティブ化部材をさらに含む。
【００１４】
眼科用装置の一実施形態によれば、感知部材は、着用者の読解設定を表す着用者の動き又は姿勢を検知する加速度計、視線追跡装置、ジャイロスコープ及びテレメータのうちの１つ以上を含む。
【００１５】
眼科用装置の一実施形態によれば、前記所定の周波数は、少なくとも５０Ｈｚ、好ましくは少なくとも７０Ｈｚである。
【００１６】
眼科用装置の一実施形態によれば、前記フレームは、眼鏡のフレームを形成し、且つ２つの開口部であって、その中にレンズをそれぞれ受けるように構成された２つの開口部を画定し、前記少なくとも１つの光源は、２つの開口部間のフレームの上部及び／又は前記２つの開口部のうちの一方の周辺部に配置されている。
【００１７】
眼科用装置の一実施形態によれば、前記少なくとも１つの光源は、異なる発光スペクトルを選択的に提供するように構成されている。
【００１８】
眼科用装置の一実施形態によれば、それは、前記少なくとも１つの光源によって発された光の特定の色にそれぞれ対応する複数の位置を含む色選択スイッチをさらに含む。
【００１９】
眼科用装置の一実施形態によれば、前記点滅素子は、
−  前記少なくとも１つの光源の前方に配置された収束レンズ、及び
−  コリメート光を提供するための、前記少なくとも１つの光源の前方における集光グリッド、
のうちの１つにより、前記少なくとも１つの光源によって発された光を、着用者によって見られている媒体に向かって収束させるように構成されている。
【００２０】
眼科用装置の一実施形態によれば、それは、
−  フレームに結合され、且つ着用者の目の前方にそれぞれ配置されるように構成された２つのレンズと、
−  前記２つのレンズの一方に適用され、且つ特定の光波長範囲を吸収するように構成されたカラーフィルタと、
をさらに含む。
【００２１】
眼科用装置の一実施形態によれば、前記カラーフィルタは、３９０ｎｍ〜７９０ｎｍ、好ましくは３９０ｎｍ〜４９０ｎｍの波長を有する光を吸収するように構成されている。
【００２２】
眼科用装置の一実施形態によれば、前記カラーフィルタは、読解状況において着用者によって使用されるレンズの所定の部分のみに適用されている。
【００２３】
眼科用装置の一実施形態によれば、前記カラーフィルタは、選択的に作動されるように構成されている。
【００２４】
本発明は、着用者の失読症の影響を低減するための眼科用装置を製造する方法であって、
−  着用者によって着用されることを意図されたフレームを提供するステップと、
−  着用者によって見られている媒体を明るくするために、着用者の頭部の前方で光を発するように構成された少なくとも１つの光源を含む点滅素子を提供するステップであって、前記少なくとも１つの光源は、点滅素子がアクティブにされるとき、所定の周波数で連続的にスイッチを入れられ且つスイッチを切られるように構成されている、ステップと、
−  フレームに点滅素子を結合するステップと、
を備える、方法にも関する。
【００２５】
本発明の好適な実施形態を表す図面により、本発明をより詳細に以下に説明する。
【図面の簡単な説明】
【００２６】
【図１】読解状況において着用者が着用している眼科用装置を概略的に示す図であり、眼科用装置は、着用者が読む媒体に光を提供する。
【図２】図１の眼科用装置の一実施形態の概略的な斜視図である。
【図３】図１の眼科用装置の他の実施形態の概略的になの正面透視図である。
【図４】図１の眼科用装置の他の実施形態の概略的になの正面透視図である。
【発明を実施するための形態】
【００２７】
図１に示すように、着用者２０の失読症の影響を低減するための眼科用装置１０が提供される。特に、前記眼科用装置１０は、上に定義したような発達性失読症の影響を低減するように構成されている。
【００２８】
前記眼科用装置１０は、着用者２０によって着用されることを意図されたフレーム１２と、フレーム１２に結合させた点滅素子１４とを含む。フレーム１２は、着用者２０の頭部で支持されるように構成されている。即ち、フレーム１２の重量は、着用者の頭部で完全に支持されることが好ましい。フレーム１２は、着用者の顔部の前方に置かれるように構成されることが好ましい。
【００２９】
点滅素子１４は、着用者の頭部の前方で光を発するように構成された光源１６を含む。特に、前記光源１６は、着用者２０によって見られている媒体１８を明るくするように構成されている。図１に示した好適な実施形態では、前記光源１６は、媒体１８の領域に位置する底面２４から着用者の頭部に収束する円錐２３の形態で発光するように構成されている。即ち、前記光源１６は、少なくとも４０ｃｍ離れて着用者の目の前方に位置する「Ａ４」のページ（２１×２９．７ｃｍ）を完全に照らすように構成されている。媒体１８は、例えば、着用者２０によって見られている書籍である。１つのみの光源１６の代替として、点滅素子１４は、複数の光源１６を含み得る。即ち、点滅素子１４は、少なくとも１つの光源１６を含み得る。光源１６は、発光ダイオード（ＬＥＤ）であることが好ましい。
【００３０】
光源１６は、点滅素子がアクティブにされるとき、所定の周波数で連続的にスイッチを入れられ且つスイッチを切られるように構成されている。即ち、光源１６は、媒体１８に向かって所定の周波数で点滅光を提供するように構成されている。前記所定の周波数は、好ましくは、少なくとも５０Ｈｚ、最も好ましくは少なくとも７０Ｈｚである。着用者によって見られている媒体１８に向かって発されるこの点滅光は、失読症の影響を低減させることにより、その読解力を向上させる。眼科用装置１０は、所定の周波数で連続的に光源１６のスイッチを入れ且つスイッチを切るように構成された制御装置（不図示）を含む。制御装置は、フレーム１２に結合された電子回路によって形成され得る。
【００３１】
前記光源１６は、発光方向が着用者の頭部の向きによって決まるようにフレーム１２に結合されていることが好ましい。このため、フレーム１２が角度Ａにおいて第１の向きから第２の向きに移動すると、発光方向についても同一角度Ａにおいて第１の向きから第２の向きに移動する。点滅素子１４は、このため、着用者からのいかなる操作も必要とせず、光源１６が発する光を効率的に差し向ける。
【００３２】
光源１６は、所定の発光スペクトルを選択し得る。このため、媒体１８に発される光について特定の色を選択し得る。媒体１８に書かれた文字のより良好な色のコントラストがもたらされ、着用者の読解力を向上させ得る。特に、これにより、着用者は、周囲の明るさに応じて色のコントラストを適応させることが可能となる。さらに、光源１６は、異なる発光スペクトルを選択的に提供するように構成され得る。即ち、媒体１８に提供される光の色は、リアルタイムで色のコントラストを改善するように変更され得る。これを行うため、眼科用装置１０は、前記光源１６によって発された光の特定の色にそれぞれ対応する複数の位置を含む色選択スイッチをさらに含み得る。この色選択スイッチは、フレーム１２に埋め込まれたスライドボタン、押圧毎にある所定の色から別の色に切り替える単一ボタン又はリモートコントロールボタンであり得る。
【００３３】
光源１６が発する光の散乱を防ぐため、点滅素子１４は、光を媒体１８に向かって収束させるために前記光源１６の前方に配置された収束レンズを含み得る。収束レンズの代替として、点滅素子１４は、前記光源の前方に、コリメート光を提供するための集光グリッドをさらに含み得る。このコリメート光は、光源１６が発する光の散乱を防ぐことも可能にする。これらの２つの解決策、収束レンズ及び集光グリッドにより、所定の距離、好ましくは２０ｃｍ〜１ｍの距離にある読解媒体に光を集めることが可能となる。媒体と目との間の平均読解距離は、一般に、成人が約４０ｃｍ、子どもが約３０ｃｍである。これにより、光源１６の効率を高めつつ、外部の視聴者に迷惑をかけることを防ぐことが可能となる。
【００３４】
フレーム１２の好適な実施形態を図２に示しており、ここで、フレーム１２は、眼鏡のフレームの形態である。この好適な実施形態では、フレーム１２は、２つの開口部２２が形成された本体２６を含む。各開口部２２は、その中にレンズ２４を受けるように構成されている。特に、レンズ２４は、眼科用レンズであることが好ましい。「眼科用レンズ」は、フレーム１２の開口部２２内で受けるのに適した矯正レンズ又は非矯正レンズを意味する。各開口部２２は、各レンズ２４が着用者２０の目の前方に配置されるように、着用者２０の目と向かい合うように配置されている。
【００３５】
フレーム１２は、本体２６から延び、それぞれ着用者の顔部の側部に接するように構成された２本の腕部２８も含む。各腕部２８は、フレーム１２を支持するために着用者２０の耳で受けるように構成された凹部を含むことが好ましい。
【００３６】
眼科用装置１０は、光源１６に電力を供給するために腕部２８の一方に埋め込まれたバッテリをさらに含む。より一般的には、１つ以上のバッテリがフレーム１２の各腕部２８に埋め込まれ得る。バッテリは、フレーム１２に埋め込まれるか又は結合された、例えば感知部材及びスイッチなどの制御装置及びすべての電子部品にも電力を供給する。
【００３７】
点滅素子１４が１つの光源１６を含む場合、それは、フレーム１２の中央部に配置されることが好ましい。特に、光源１６は、２つの開口部２２間のフレーム１２の上部に配置されることが好ましい。即ち、光源１６は、２つの開口部２２間に延びるアーチに配置されることが好ましい。点滅素子１４が少なくとも２つの光源１６を含む場合、少なくとも１つの光源１６は、フレーム１２の周辺部に配置される。好ましくは、前記２つの開口部２２のうちの一方の周辺部に光源１６が配置される。周辺部は、腕部２８の端部２９におけるフレーム１２の側頭部側に対応することが好ましい。このため、２つ以上の光源１６を備えた構成では、眼科用装置１０は、着用者の顔部の各側面において少なくとも１つの光源１６を含むことが好ましい。
【００３８】
フレーム１２が眼鏡の形態である場合、眼科用装置１０は、着用者２０の失読症の影響を低減する携帯可能且つ軽量な解決策となる。さらに、眼科用装置１０は、レンズ２４の特性を変化させることなく失読症の影響を低減させることを可能にする。このため、失読症の影響の低減及び矯正は、単一の眼鏡にすべてを設けた個々の独立した手段によって達成される。これは、レンズ２４になされる通常の製造工程（例えば、研磨及びコーティング）をすべて可能にし、これにより完全な眼科的解決策を提供する。
【００３９】
図２の好適な実施形態の代替として、フレーム１２は、光源１６が、着用者２０によって見られている媒体１８に向かって発光することを可能にするいかなる形状でもあり得る。
【００４０】
眼科用装置１０は、点滅素子１４を選択的にアクティブにするように構成された選択的アクティブ化部材（不図示）又は選択的アクティブ化スイッチをさらに含み得る。選択的アクティブ化部材は、フレーム１２に配置されたスイッチを含み得る。この場合、点滅素子１４は、着用者の要求に応じてアクティブにされ得る。着用者がスイッチを押圧して点滅素子１４をアクティブにできるように、スイッチは、フレーム１２に結合されている。スイッチは、これにより、光源１６の近接的なアクティブ化を提供する。
【００４１】
選択的アクティブ化部材は、点滅素子１４を遠隔でアクティブにするように構成された制御端末も含み得る。この制御端末は、適切なモバイルアプリケーション又はモバイルソフトウェアを使用して光源１６を遠隔でアクティブにするように構成されたスマートフォン又はコンピュータであり得る。
【００４２】
眼科用装置１０は、着用者の読解状況を検知するように構成された感知部材を含む自動アクティブ化部材をさらに含み得る。自動アクティブ化部材は、読解状況が検知されると、点滅素子１４をアクティブにするようにも構成されている。例えば、感知部材は、読解状況を表す着用者の姿勢又は動きを検知し得る。この検知を達成するため、感知部材は、着用者２０の読解設定を表す着用者の動き又は姿勢を検知するための加速度計、視線追跡装置、ジャイロスコープ及びテレメータのうちの１つ以上を含む。視線追跡装置は、目の輻輳開散運動及び衝動性眼球運動のパターンを計測することにより、又は読解に関係することが知られているレンズの特定領域の使用（近視点など）により、着用者の注視方向を追跡して読解状況を決定し得る。
【００４３】
図３に示すように、眼科用装置は、フレーム１２に結合された２つのレンズ２４と、前記２つのレンズ２４の一方に適用されたカラーフィルタ３０とをさらに含み得る。カラーフィルタ３０は、着用者の脳を支援する特定の光波長範囲を吸収するように構成され、両目が把握したコントラストにバイアスを導入することにより、２つのマクスウェル中心間の非対称性の欠如を取り除く。前記特定の波長範囲は、好ましくは、３９０ｎｍ〜７９０ｎｍ又はより一般的に４００ｎｍ〜８００ｎｍである。
【００４４】
このバイアスは、マクスウェル中心における青錐体の光受容体の欠如を用いることによりなされ得る。この場合、カラーフィルタ３０は、マクスウェル中心における残りの緑錐体及び赤錐体によって受ける光をカットするように設計されることが好ましい。これらの緑錐体及び赤錐体は、正常な目、即ち失読症を患っていない健康な対象者についてそれぞれ５３３ｎｍ、５６４ｎｍの吸収ピークを有する。青錐体は、４３７ｎｍの吸収ピークを有する。このため、特定の波長範囲は、最も好ましくは、青錐体の吸収スペクトルに適するために３９０〜４９０ｎｍ又はより一般的に４００ｎｍ〜５００ｎｍである。この最も好適な波長範囲は、カラー３０フィルタを最大で５０ｎｍの半値幅に設定することを可能にし、緑錐体と重複することを防ぐ。このように、レンズ２４に設けられたこの青錐体吸収スペクトルフィルタは、赤錐体の光受容体及び緑錐体の光受容体についてそれぞれ赤色光及び緑色光を低減させ、これにより着用者の目の２つのマクスウェル中心間にコントラストの非対称性を作ることを可能にする。
【００４５】
カラーフィルタ３０は、着用者２０の目と向き合うように意図されたレンズ２４の内面、その内面と反対側にあるレンズの外面又は両方に適用され得る。カラーフィルタ３０は、レンズ２４に積層させた膜であり得る。
【００４６】
非読解状況における色覚の歪みを防ぐために、カラーフィルタ３０は、選択的に作動されるように構成され得る。即ち、カラーフィルタ３０は、読解状況においてのみアクティブであり得る。
【００４７】
カラーフィルタ３０は、図３の実施形態では、レンズ２４の面を完全に被覆している。代わりに、カラーフィルタ３０は、観察者の観点からの包括的な色覚の不快感及び表面的な色覚を低減するために、レンズ２４の面を部分的にのみ被覆し得る。カラーフィルタ３０がレンズ２４の面を部分的に被覆する場合、カラーフィルタ３０は、好ましくは、レンズ２４の全面の最大で７０％、最も好ましくは最大で６０％を被覆している。
【００４８】
図４に示すように、前記カラーフィルタ３０は、レンズ２４において、レンズ２４の所定の部分３２にのみ提供され得る。所定の部分は、読解時に目が探索する領域であることが好ましい。即ち、所定の部分３２は、着用者２０が読解状況にあるとき、着用者の目の視軸が走査する部分であるように選択される。特に、所定の部分３２は、主に着用者２０の鼻と目の光学中心Ｏとの間に配置される。所定の部分３２は、レンズ２４の中央視覚領域及び近隣視覚領域に対応し得る。所定の部分３２は、読解時の着用者の注視によって用いられるレンズ２４の領域を計測するために、周知の視線追跡装置を用いることによってカスタマイズした解決策を提供するようにより正確に計測することも可能である。この解決策の利点は、カラーフィルタリングが要求に応じて適用可能であり、有用な領域に限定可能であることにより、表面的な色覚と包括的な色覚との両方を維持していることである。
【００４９】
図４の実施形態によれば、所定の部分３２は、レンズ２４の第１のレンズの軸Ｘに沿う幅の最大で９０％、好ましくは最大で８０％に沿って延びる上部３４を含む。所定の部分３２は、レンズ２４の第１のレンズの軸Ｘに沿う幅の最大で４０％、好ましくは最大で３０％に沿って延びる下部３６も含む。所定の部分３２は、レンズ２４の、第１のレンズの軸Ｘと直角をなす第２の軸Ｙに沿う高さの最大で９０％に沿って延びることが好ましい。
【００５０】
カラーフィルタ３０は、読解作業中の個々の目−頭部の位置関係に応じてレンズのカスタマイズした部分にも適用され得る。
【００５１】
図４の実施形態では、点滅素子１４は、フレーム１２の周辺部、即ち腕部２８の端部２９に配置された２つの光源１６を含む。
【００５２】
さらに、カラーフィルタ３０の代替として、レンズ２４の一方のレンズにＲｘシフトを導入することにより、着用者の一方の目が把握したコントラストを低下させ得る。これは、着用者の脳が２つのマクスウェル中心間の非対称性欠如を免れることを支援すると思われる。この屈折力のシフトは、０．２５〜０．５０ディオプトリであり得る。好ましくは、屈折力のシフトは、２つのマクスウェル中心間の非対称性を再導入するための０．２５〜０．５０ディオプトリの円柱度数のシフトに対応する。
【００５３】
このシフトは、所定の部分３２において追加の屈折力又は追加の円柱度数を作ることのできるアクティブな系をレンズ２４に追加することにより達成され得る。この追加の光学系は、アクティブであり、フレーム１２に埋め込まれたバッテリにリンクされ得る。系はまた、要求に応じてのみ（読解時）作動させるスイッチに接続され得るか、又は読解状況を検知して、そのときにのみシステムに電力を供給するための加速度計又は視線追跡装置のようなセンサに結合可能である。アクティブな光学系は、液晶を備えたアクティブパッドであり得る。このアクティブな光学系は、アクティブ時に約０．５０Ｄの屈折力又は円柱度数を追加し得る。屈折力のシフトによって得られたこの非対称性は、レンズ２４にフィルタがなくともコントラストを提供可能にするため、眼科用装置１０は、着用者２０にとって良い外見をもたらす。
【００５４】
本発明は、着用者の失読症の影響を低減するための眼科用装置１０を製造する方法にも関する。方法は、着用者２０によって着用されることを意図されたフレーム１２と、点滅素子１４とを提供することを含む。前記点滅素子１４は、着用者２０によって見られている媒体１８を明るくするために、着用者の頭部の前方で光を発するように構成された少なくとも１つの光源１６を含む。前記少なくとも１つの光源１６は、点滅素子１４がアクティブにされるとき、所定の周波数で連続的にスイッチを入れられ且つスイッチを切られるように構成されている。方法は、フレーム１２に点滅素子１４を結合して眼科用装置１０を得る工程をさらに含む。
【符号の説明】
【００５５】
１０  眼科用装置
１２  フレーム
１４  点滅素子
１６  光源
１８  媒体
２０  着用者
２２  開口部
２３  円錐
２４  レンズ
２６  本体
２８  腕部
２９  端部
３０  カラーフィルタ
３２  所定の部分
３４  上部
３６  下部
【図１】
2022502695.tif 000003
【図２】
2022502695.tif 000004
【図３−４】
2022502695.tif 000005
【国際調査報告】
2022502695.tif 000006
2022502695.tif 000007
2022502695.tif 000008